(57)【要約】  【課題】  視聴履歴情報を提供した端末に対して視聴率情報を提供する。  【解決手段】  端末１がテレビジョン受信部２によってテレビジョン放送を受信し、選択したテレビジョン番組をディスプレイ３に表示する。ＣＰＵ７は、現在、視聴している番組を特定するための視聴履歴情報をネットワークインターフェース６、ネットワーク２０を介して視聴率測定サーバ１１に対して定期的にアップロードする。端末１において発生した要求に応答して、端末１に対して、視聴率測定サーバ１１から視聴率情報がダウンロードされる。視聴率情報は、現在、視聴率が第１位の番組を特定する番組情報である。視聴率情報によって、番組がＣＭに切り換わると、ディスプレイ３の表示が視聴率が第１位の番組のチャンネルの番組に自動的に切り換わる。【選択図】  図１
2007053566.tif 000002
【特許請求の範囲】
【請求項１】
配信された複数のコンテンツの中で選択的に視聴された第１のコンテンツを特定する視聴履歴情報を視聴率測定サーバに対して送信し、現在、比較的高い視聴率を獲得しており、且つ視聴可能な第２のコンテンツを特定する視聴率情報を上記視聴率測定サーバから受信する通信手段と、
受信された上記視聴率情報を表示する表示手段と、
上記表示手段に対する上記視聴率情報の表示を制御する表示制御手段と
からなるコンテンツ受信装置。
【請求項２】
請求項１において、
上記表示制御手段は、予め設定されたシーンが放送される時に上記視聴率情報を表示するように、上記表示手段を制御するコンテンツ受信装置。
【請求項３】
請求項１において、
上記表示制御手段は、視聴中の上記第１のコンテンツに代えて、上記視聴率情報によって特定された第２のコンテンツを表示するように、上記表示手段を制御するコンテンツ受信装置。
【請求項４】
請求項１において、
上記表示制御手段は、視聴中の上記第１のコンテンツと同時に、上記視聴率情報によって特定された第２のコンテンツを表示するように、上記表示手段を制御するコンテンツ受信装置。
【請求項５】
配信された複数のコンテンツの中で選択的に視聴された第１のコンテンツを特定する視聴履歴情報を視聴率測定サーバに対して送信し、
現在、比較的高い視聴率を獲得しており、且つ視聴可能な第２のコンテンツを特定する視聴率情報を上記視聴率測定サーバから受信し、
受信された上記視聴率情報を表示するコンテンツ受信方法。
【請求項６】
コンテンツをコンテンツ受信装置に対して配信するコンテンツ配信装置と、
上記コンテンツ受信装置において視聴された第１のコンテンツを特定する視聴履歴情報を上記コンテンツ受信装置から受信し、収集された上記視聴履歴情報から現在の視聴率を測定する視聴率測定サーバと、
上記視聴履歴情報を上記視聴率測定サーバに対して送信し、現在、比較的高い視聴率を獲得しており、且つ視聴可能な第２のコンテンツを特定する視聴率情報を上記視聴率測定サーバから受信する通信手段と、受信された上記視聴率情報を表示する表示手段と、上記表示手段に対する上記視聴率情報の表示を制御する表示制御手段とを有するコンテンツ受信装置と
からなるコンテンツ配信システム。
【発明の詳細な説明】
【技術分野】
【０００１】
この発明は、テレビジョン放送、インターネットテレビジョン等に適用可能なコンテンツ受信装置、コンテンツ受信方法およびコンテンツ配信システムに関する。
【背景技術】
【０００２】
テレビジョン放送番組に関して、あるテレビジョン番組をその地域のどの程度の割合の視聴者が視聴したかを表す推定値として視聴率が知られている。視聴率は、モニタ世帯に設置されたテレビジョン受像機に対して接続された機器から得られるデータに基づいて測定されている。毎分得られる瞬間視聴率と、瞬間視聴率の平均値である平均視聴率等が求められている。
【０００３】
視聴率測定方法として、下記の特許文献１に記載されているように、テレビジョン受像機のリモートコントロール機能を有する携帯端末を使用し、携帯端末によってテレビジョン受像機を操作した操作履歴情報を携帯端末から視聴履歴管理サーバに送信し、サーバが視聴率を求めることが提案されている。
【０００４】
【特許文献１】特開２００５−７９６０９号公報
【発明の開示】
【発明が解決しようとする課題】
【０００５】
従来の視聴率計算システムは、モニタ視聴者からの視聴履歴が視聴率測定サーバにアップロードされ、視聴率を測定するものであり、視聴履歴を提供したモニタ視聴者に対して視聴率に関連するサービスがなされないのが普通であった。
【０００６】
したがって、この発明の目的は、視聴履歴等の視聴履歴情報を提供した視聴者に対して現在の視聴率の高い番組に関する情報を提供することが可能なコンテンツ受信装置、コンテンツ受信方法およびコンテンツ配信システム提供することにある。
【課題を解決するための手段】
【０００７】
上述した課題を解決するために、この発明は、配信された複数のコンテンツの中で選択的に視聴された第１のコンテンツを特定する視聴履歴情報を視聴率測定サーバに対して送信し、現在、比較的高い視聴率を獲得しており、且つ視聴可能な第２のコンテンツを特定する視聴率情報を視聴率測定サーバから受信する通信手段と、
受信された視聴率情報を表示する表示手段と、
表示手段に対する視聴率情報の表示を制御する表示制御手段と
からなるコンテンツ受信装置である。
【０００８】
この発明は、配信された複数のコンテンツの中で選択的に視聴された第１のコンテンツを特定する視聴履歴情報を視聴率測定サーバに対して送信し、
現在、比較的高い視聴率を獲得しており、且つ視聴可能な第２のコンテンツを特定する視聴率情報を視聴率測定サーバから受信し、
受信された視聴率情報を表示するコンテンツ受信方法である。
【０００９】
この発明は、コンテンツをコンテンツ受信装置に対して配信するコンテンツ配信装置と、
コンテンツ受信装置において視聴された第１のコンテンツを特定する視聴履歴情報をコンテンツ受信装置から受信し、収集された視聴履歴情報から現在の視聴率を測定する視聴率測定サーバと、
視聴履歴情報を視聴率測定サーバに対して送信し、現在、比較的高い視聴率を獲得しており、且つ視聴可能な第２のコンテンツを特定する視聴率情報を視聴率測定サーバから受信する通信手段と、受信された視聴率情報を表示する表示手段と、表示手段に対する視聴率情報の表示を制御する表示制御手段とを有するコンテンツ受信装置と
からなるコンテンツ配信システムである。
【００１０】
この発明において、好ましくは、コマーシャルの放映時のように、予め設定したシーンが放送される時に表示手段に、視聴率が高い番組が自動的に表示されるように、表示手段が制御される。
【発明の効果】
【００１１】
この発明によれば、視聴履歴情報を提供する代わりに、受信可能な番組の中で、現在、視聴率が高い番組を知ることができる。例えば特定の番組を視聴する目的を持たないでテレビジョン受信機の電源をオンとしている視聴者に対して、多くの視聴者が現在視聴している番組を知らせることができる。
【発明を実施するための最良の形態】
【００１２】
以下、この発明の一実施形態について図面を参照して説明する。図１は、一実施形態によるコンテンツ配信システムの全体を示す。システムは、コンテンツ受信装置としての端末１と、視聴率測定サーバ１１と、端末１およびサーバ１１間を接続するインターネット等のネットワーク２０から構成されている。なお、コンテンツとは、視聴できるテキスト、静止画、動画、音楽等の情報全般を意味する。一実施形態は、テレビ番組を視聴する例であるので、コンテンツは、配信される番組である。
【００１３】
端末１は、例えばテレビジョン放送を受信するテレビジョン受信部２と、受信したテレビジョン放送の中で選択したテレビジョン番組を再生するディスプレイ３と、リモートコントロール信号の受光部を含む操作部４と、ＳＤＲＡＭ等のメモリ５と、通信部としてのネットワークインターフェース６と、端末１の全体の動作および処理を制御する制御部としてのＣＰＵ７とから構成されている。端末１のこれらの構成要素がバス８によって接続されている。図示しないが、ディスプレイ３と一体または別個に音声再生のためのスピーカが設けられている。端末１は、家庭内の据え置き型の構成に限らず、ＰＤＡ、携帯電話、車載機器等の移動体受信装置の構成であっても良い。
【００１４】
端末１においては、操作部４におけるユーザの操作に応じて、ＣＰＵ７がテレビジョン受信部２を制御することによって、電源のＯＮ／ＯＦＦ、所望のテレビジョンチャンネルの選択、選択したテレビジョンチャンネルの番組の受信およびデコード、デコードされた番組のディスプレイ３への表示、音声の再生等がなされる。ＣＰＵ７は、後述するように、受信した視聴率情報をディスプレイ３に表示する表示動作を制御する。また、ＣＰＵ７
は、現在、視聴している番組を特定するための視聴履歴情報例えば視聴しているチャンネル情報と視聴開始時刻と視聴終了時刻とをネットワークインターフェース６、ネットワーク２０を介して視聴率測定サーバ１１に対して定期的にアップロードする。チャンネル情報と時刻とから視聴された番組が特定される。例えば５秒間隔のように短い時間間隔で視聴履歴情報を送信する場合には、単に視聴しているチャンネル番号のみを送信するようにしても良い。
【００１５】
また、端末１において発生した要求に応答して、端末１に対して、視聴率測定サーバ１１から視聴率情報がネットワーク２０およびネットワークインターフェース６を介してダウンロードされる。要求は、例えば定期的に発生する。ユーザの操作に応答して要求を発生しても良い。ダウンロードされた視聴率情報は、メモリ５に格納される。ダウンロードの度に視聴率情報が最新のものに更新される。この視聴率情報は、現在、視聴率が高い番組例えば視聴率が第１位の番組を特定する番組情報である。勿論、視聴率測定サーバ１１が視聴履歴情報を収集して視聴率を測定し、測定した視聴率情報を端末に送信するまでの遅れ時間が存在するので、現在の視聴率というのは、直近の視聴率を意味する。
【００１６】
視聴率測定サーバ１１は、ネットワーク２０とサーバとの間を接続するネットワークインターフェース１２と、モニタの情報、番組に関する情報等が格納されたデータベースが格納されたハードディスク１３と、ＳＤＲＡＭ等のメモリ１４と、サーバ１１の全体の動作および処理を制御する制御部としてのＣＰＵ１５とから構成されている。サーバ１１のこれらの構成要素がバス１６によって接続されている。
【００１７】
視聴率測定サーバ１１は、多数の端末からアップロードされた視聴履歴情報を処理して視聴率を計算する。視聴率の計算方法としては、従来の方法を使用できる。例えばそれぞれ識別用のユーザＩＤが付与された所定の端末から視聴開始時刻と視聴終了時刻と視聴チャンネルとが所定時間毎に視聴率測定サーバ１１に対してアップロードされる。サーバ１１は、受信した端末からの視聴履歴情報を収集し、番組毎に瞬間視聴率例えば５秒毎の視聴率を計算し、さらに、番組毎の平均視聴率を計算する。
【００１８】
計算された視聴率情報がメモリ１４に格納される。視聴率測定サーバ１１は、端末１からの要求を受け取ると、メモリ１４に記憶されている視聴率情報中の瞬間視聴率を読み出して瞬間視聴率が最も高い番組を決定する。この番組に関する情報が視聴率情報としてネットワークインターフェース１２およびネットワーク２０を介して要求を発した端末１に対して送信する。
【００１９】
視聴率測定サーバ１１における視聴率の測定方法において、ディジタル放送例えばディジタル地上波放送では、ＵＨＦチャンネルのチャンネル番号に加えて地域識別コードが規定されることによって、放送局が特定される。したがって、端末１からサーバ１１に対してアップロードされる視聴履歴情報、およびサーバ１１から端末１にダウンロードされる視聴率情報において、放送局を特定するために、チャンネル番号のみならず、地域識別コードも含まれていることが必要とされる。また、地域識別コードに基づいて、地域毎例えば各県ごとに視聴率を計算することが可能となる。なお、ユーザＩＤの登録情報を利用し地域毎の視聴率を計算するようにしても良い。
【００２０】
ダウンロードされた視聴率情報は、コンテンツ受信端末１においてユーザに対して提示
される。提示方法の具体例について図２を参照して説明する。図２Ａは、視聴率測定サーバ１１からダウンロードされる視聴率情報がテキストデータであり、そのデータをディスプレイ３上に表示する例である。現在、視聴率が第１位の番組の番組名と、その番組を提供している放送局のチャンネル番号が表示される。視聴率が第１位の番組のみならず、第２位、第３位等の視聴率が上位の番組名およびチャンネル番号を表示しても良い。
【００２１】
図２Ｂは、現在視聴している番組Ａの画面を、現在、視聴率が第１位の番組Ｂの画面に自動的に切り換える例を示す。番組Ａを視聴中に予め設定したシーン例えばコマーシャル（ＣＭと適宜略す）の放映に切り換わったことを検出し、自動的に番組Ｂを受信する状態に切り換えるものである。ＣＭを検出する方法としては、音声信号を利用する方法、画像を解析する方法等の既存の方法を使用できる。なお、ＣＭ以外にスポーツ中継番組における試合休止期間を検出して受信チャンネルを視聴率の高いチャンネルに自動的に切り換えるようにしても良い。
【００２２】
図２Ｃは、現在視聴している番組Ａの表示画面中に子画面を表示し、子画面中に現在、視聴率が第１位の番組Ｂを表示する例を示す。子画面を提示するタイミングは、例えばＣＭの検出時である。子画面に限らず、左右に同じ大きさの２画面を表示する分割画面として番組ＡおよびＢを表示しても良い。図２Ｃの場合では、同時に二つの場合ＡおよびＢを受信することが可能なように、二つの受信部例えばチューナを備えていることが必要とされる。
【００２３】
図３は、端末１におけるテレビジョン受信部２の一例の構成を示す。アンテナ２１で受信された放送波はチューナ２２に供給される。チューナ２２は受信された放送波から目的の搬送波を選択して復調処理をし、トランスポートストリーム（以下、適宜、ＴＳと称する）を復元する。また、ＴＳパケット単位でエラー訂正処理を行う。
【００２４】
デスクランブラ２３は、ＴＳにスクランブル（多重化）がかけられている場合、ＴＳの中に存在する特定のＰＩＤ（パケットＩＤ）を有するパケットについて、必要に応じてスクランブルを解除するデスクランブル処理を行う。
【００２５】
デマルチプレクサ２４は、デスクランブルされたＴＳに対してデマルチプレクス（分離）処理を行い、映像、音声、データなどのコンテンツを分離し、またＳＩ(Service Information) やＰＳＩ(Program Specific Information)などの番組情報を分離する。デマルチプレクサ１４における処理で、ＴＳはＴＳ化される前のＰＥＳ(Packetized Elementary Stream)やＥＳ(Elementary Stream) とされる。
【００２６】
デコーダ２５は、映像ＰＥＳや音声ＰＥＳに対して復号処理を行い、映像や音声をディジタル信号にする。映像信号処理部２６は、デコードされたディジタル映像信号に対して処理を行い、バス８に出力する。音声信号処理部２７は、デコードされたディジタル音声信号に処理を行い、バス８に出力する。なお、図示していないが、視聴率情報のテキスト等を受信番組の映像中に表示する例（図２Ａ参照）では、テキストを映像に重畳するＯＳＤ(On Screen Display) 制御部が設けられる。
【００２７】
ＣＰＵ７は、バス８を介して各部を制御する。メモリ５には、制御用プログラムが格納されたＲＯＭ(Reed Only Memory)と、例えばプログラムを実行する際のワークエリアとして使用されるＲＡＭ(Random Access Memory)とが含まれる。ＣＰＵ７に対しては、操作部４から操作に応じた情報が供給される。操作部４はボタンや回転式のダイヤルなどで構成しても良いし、モニタをタッチして操作するタッチパネルとして構成しても良い。さらに、リモートコントロール装置でも良い。
【００２８】
放送局情報記憶部２８には放送局に関する情報が記憶される。放送局情報記憶部２８は、例えばハードディスクなどの不揮発性メモリによって構成される。放送局情報記憶部２８には、ディジタル地上波放送のチャンネル配置の情報が格納されている。
【００２９】
すなわち、放送局情報記憶部２８には、放送局に割り当てられるチャンネルと、放送局が放送する場所を示す地域情報である地域識別が記憶される。地域識別は、広域情報および狭域情報のいずれかを含む情報とされる。広域情報は関東地方、中京地方、近畿地方等の複数の県を含む地方とされ、狭域情報は、広域より狭い領域である東京都、愛知県、京都府等の県を示す情報とされる。このように、チャンネル番号と地域識別によって放送局が特定される。
【００３０】
なお、図３は、テレビジョン受信部２の一例であって、他の構成が可能である。例えば子画面または分割画面によって、同時に二つの番組を表示する場合には、別々のチューナを含む２系統の受信および復号手段を設ける必要がある。
【００３１】
また、この発明は、例えばインターネットを介して配信されるインターネットテレビ（ブロードバンド放送とも称される）に対しても適用することができる。インターネットテレビにおける視聴率の測定も、上述したテレビジョン放送における視聴率の測定と同様に行うことができる。例えばユーザＩＤが付与されたパーソナルコンピュータに所定の測定
用ソフトウェアをインストールし、ユーザＩＤとＵＲＬ(Uniform Resource Locator)と時刻とからなるアクセス履歴情報を測定サーバに伝送し、測定サーバがＷｅｂサイト毎にアクセス回数を集計し、アクセス回数にしたがったランキングを計算する。アクセス回数が第１位のＷｅｂサイトに関する情報が視聴率情報として履歴情報を提供したパーソナルコンピュータに対して伝送される。
【００３２】
上述したこの発明の一実施形態の動作について説明する。図４は、端末１のＣＰＵ７の制御によってなされる処理、すなわち、端末１が視聴履歴情報を視聴率測定サーバ１１に対して送信する場合の処理を示す。端末１の電源がＯＮとされるステップＳ１から開始し、ステップＳ２において、電源をＯＦＦする操作がなされたか否かが判定される。ＯＦＦの操作がされたならば、ステップＳ３において、電源がＯＦＦされる。
【００３３】
ステップＳ２で電源ＯＦＦの操作がされないと判定されると、ステップＳ４で所定の時間経過したか否かが判定される。所定の時間例えば５秒間経過したと判定されると、ステップＳ５において、視聴している番組を特定するチャンネル情報を視聴率測定サーバ１１に対して送出する。ここでは、短時間毎に視聴履歴情報をサーバに送出するので、チャンネル情報が視聴履歴情報として使用されている。
【００３４】
図５は、視聴率測定サーバ１１のＣＰＵ１５によってなされる処理を示す。ステップＳ１１においてサービスが開始されると、ステップＳ１２において、端末からの視聴履歴情報を受信したか否かが判定される。受信した場合には、ステップＳ１６において、受信した視聴履歴情報が視聴データベース（ハードディスク１３）に保存される。
【００３５】
ステップＳ１２において、視聴履歴情報が受信されないと判定されると、ステップＳ１３において、端末からの視聴率情報（すなわち、現在の視聴率の順位の情報）の要求の有無が判定される。視聴率情報の要求があると判定されると、ステップＳ１７において、視聴率情報を要求している端末に視聴率情報が送信される。
【００３６】
ステップＳ１３において、視聴率情報の要求がないと判定されると、ステップＳ１４において、所定の時間経過したか否かが判定される。所定の時間経過していないと判定されると、ステップＳ１２（端末からの視聴履歴情報を受信の有無の判定）に処理が戻る。
【００３７】
所定の時間経過したと判定されると、ステップＳ１５において、データベースに保存された前回の計算後からの視聴履歴情報を集計して、順位が計算される。計算結果は、メモリ１４およびハードディスク１３に保存される。そして、ステップＳ１２に処理が戻る。所定の時間が５秒のように、短時間とされ、瞬間の視聴率が計算される。
【００３８】
図６は、上述した図２Ｂに示すような表示制御の一例を実現する処理を示す。ステップＳ２１で電源がＯＮとされ、ステップＳ２２において、電源ＯＦＦの操作がされたか否かが判定される。電源ＯＦＦの操作がされたと判定されると、ステップＳ２３で電源がＯＦＦされる。
【００３９】
電源ＯＦＦの操作がされないとステップＳ２２で判定されると、ステップＳ２４において、視聴中のチャンネルの番組がＣＭになったか否かが判定される。ＣＭになったと判定されると、予め視聴率測定サーバ１１から受信し、メモリに保存されていた視聴率情報に基づいて、ステップＳ２５において、視聴率の第１位のチャンネルに受信放送局が自動的に切り換えられる。したがって、視聴していた番組の画面が視聴率の１位の番組の画面に自動的に切り換えられる。
【００４０】
ステップＳ２５の画面の切り換え後、またはステップＳ２４において、ＣＭが検出されない場合には、ステップＳ２６において、所定の時間経過したか否かが判定される。所定の時間は、端末１が視聴率情報のダウンロードの要求を視聴率測定サーバ１１に対して送信する時間間隔である。短い時間に設定されることによって、最新の視聴率情報を得ることができる。
【００４１】
ステップＳ２６において、所定の時間が経過していないと判定された場合には、ステップＳ２２（電源ＯＦＦの操作の有無の判定）に処理が戻る。所定の時間が経過したと判定されると、ステップＳ２７において、視聴率測定サーバ１１から視聴率情報が取得され、保存されていた視聴率情報が最新のものに更新される。そして、処理がステップＳ２２に戻る。
【００４２】
なお、視聴率の１位のチャンネルへ自動的に受信チャンネルを切り換えた場合、その後のユーザの操作部に対する操作の有無か検出され、何の操作がされない場合で、ＣＭの放映時間に対応する所定の時間が経過したことを検出した場合には、元のチャンネルの番組を視聴する状態に戻るようにしても良い。すなわち、ほぼＣＭの期間、視聴率１位の番組が視聴される。この処理は、後述する他の表示制御の処理においても同様に適用可能である。
【００４３】
図７は、表示制御の他の例を実現する処理を示す。ステップＳ３１で電源がＯＮとされ、ステップＳ３２において、電源ＯＦＦの操作がされたか否かが判定される。電源ＯＦＦの操作がされたと判定されると、ステップＳ３３で電源がＯＦＦされる。
【００４４】
電源ＯＦＦの操作がされないとステップＳ３２で判定されると、ステップＳ３４において、視聴中のチャンネルの番組がＣＭになったか否かが判定される。ＣＭになったと判定されると、ステップＳ３５において、視聴率測定サーバ１１に対して視聴率情報の送信要求が送信され、視聴率測定サーバ１１から視聴率情報が取得され、保存されていた視聴率情報が最新のものに更新される。
【００４５】
取得された最新の視聴率情報に基づいて、ステップＳ３６において、視聴率の第１位のチャンネルに受信チャンネルが自動的に切り換えられる。したがって、視聴していた番組の画面が視聴率の１位の番組の画面に自動的に切り換えられる。
【００４６】
図６の処理が定期的に視聴率情報の送信要求を視聴率測定サーバ１１に対して送信するのに対して、図７の処理は、番組がＣＭに切り換わった際に視聴率情報を受信し、受信された最新の視聴率情報に基づいて受信チャンネルを切り換える例である。なお、ＣＭ以外にスポーツ中継番組における試合休止期間を検出して受信チャンネルを視聴率の高いチャンネルに自動的に切り換えるようにしても良い。試合休止期間の例は、サッカーの試合のハーフタイム、ボクシング等の格闘技のラウンド間の期間、野球の試合のイニングの交代の期間等である。
【００４７】
図８は、表示制御のさらに他の例を実現する処理を示す。図８の処理では、視聴率情報が定期的に受信され、ユーザの操作によって発生した要求にしたがって視聴している番組が視聴率第１位の番組に自動的に切り換えられる。ステップＳ４１で電源がＯＮとされ、ステップＳ４２において、電源ＯＦＦの操作がされたか否かが判定される。電源ＯＦＦの操作がされたと判定されると、ステップＳ４３で電源がＯＦＦされる。
【００４８】
電源ＯＦＦの操作がされないとステップＳ４２で判定されると、ステップＳ４４において、視聴率１位のチャンネルへの切り換えの要求の有無が判定される。要求があると判定されると、予め取得され、保存されている視聴率情報に基づいて、ステップＳ４５において、視聴率の第１位のチャンネルに受信チャンネルが自動的に切り換えられる。したがって、視聴していた番組の画面が視聴率の１位の番組の画面に自動的に切り換えられる。
【００４９】
ステップＳ４５の画面の切り換え後、またはステップＳ４４において、要求がないと判定された場合には、ステップＳ４６において、所定の時間経過したか否かが判定される。所定の時間は、端末１が視聴率情報のダウンロードの要求を視聴率測定サーバ１１に対して送信する時間間隔である。短い時間に設定されることによって、最新の視聴率情報を得ることができる。
【００５０】
ステップＳ４６において、所定の時間が経過していないと判定された場合には、ステップＳ４２（電源ＯＦＦの操作の有無の判定）に処理が戻る。所定の時間が経過したと判定されると、ステップＳ４７において、視聴率測定サーバ１１から視聴率情報が取得され、保存されていた視聴率情報が最新のものに更新される。そして、処理がステップＳ４２に戻る。
【００５１】
なお、図７の処理と同様に、視聴率１位のチャンネルへの切り換えの要求が発生したとステップＳ４４で検出された場合に、視聴率測定サーバ１１に対して視聴率情報の送信要求が送信され、視聴率測定サーバ１１から視聴率情報が取得され、保存されていた視聴率情報が最新のものに更新するようにしても良い。
【００５２】
また、現在視聴しているチャンネルの番組が視聴率１位の番組の場合には、例外処理として視聴率が次の順位の番組に切り換え、または同時に表示するようにしても良い。
【００５３】
この発明は、上述したこの発明の実施形態に限定されるものでは無く、この発明の要旨を逸脱しない範囲内で様々な変形や応用が可能である。例えば、端末として、録画機能を有するものを使用しても良い。
【図面の簡単な説明】
【００５４】
【図１】この発明によるコンテンツ配信システムの一実施形態のブロック図である。
【図２】端末における表示制御の例を示す略線図である。
【図３】端末が有するテレビジョン受信部の一例のブロック図である。
【図４】この発明の一実施形態において端末が視聴履歴情報を送出する処理の流れを示すフローチャートである。
【図５】この発明の一実施形態において視聴率測定サーバが視聴履歴情報を測定し、端末に提供する処理の流れを示すフローチャートである。
【図６】この発明の一実施形態において端末が視聴率情報を定期的に受信し、ＣＭに切り換わった際に視聴率の高いチャンネルに受信チャンネルを切り換える処理の流れを示すフローチャートである。
【図７】この発明の一実施形態において端末がＣＭに切り換わった際に視聴率情報を受信し、視聴率の高いチャンネルに受信チャンネルを切り換える処理の流れを示すフローチャートである。
【図８】この発明の一実施形態において端末の要求にしたがって、受信チャンネルを視聴率１位のチャンネルへ切り換える処理の流れを示すフローチャートである。
【符号の説明】
【００５５】
１・・・コンテンツ受信装置としての端末
２・・・テレビジョン受信部
３・・・ディスプレイ
６・・・ネットワークインターフェース
７・・・ＣＰＵ
１１・・・視聴率測定サーバ
１２・・・ネットワークインターフェース
１５・・・ＣＰＵ
２０・・・インターネット
【図１】
2007053566.tif 000003
【図２】
2007053566.tif 000004
【図３】
2007053566.tif 000005
【図４】
2007053566.tif 000006
【図５】
2007053566.tif 000007
【図６】
2007053566.tif 000008
【図７】
2007053566.tif 000009
【図８】
2007053566.tif 000010